(57)【要約】  受信側において受信データの測定品質と目標品質を比較して目標ＳＩＲを可変制御すると共に、該目標ＳＩＲと測定ＳＩＲを比較し、比較結果に基づいて作成した送信電力制御情報（TPC情報）を送信側に送信し、送信側において該送信電力制御情報に基づいて送信電力を制御する。更に、受信側において送信電力が限界に達したか監視し、限界に達した場合には目標ＳＩＲを最新の値に固定して更新しないようにする。そして、通信環境が変化して送信電力制御が可能になった時、目標ＳＩＲの可変制御を再開する。【特許請求の範囲】
【請求項１】
受信側において受信データの測定品質と目標品質を比較して目標ＳＩＲを可変制御すると共に、該目標ＳＩＲと測定ＳＩＲを比較し、比較結果に基づいて作成した送信電力制御情報を送信側に送信し、送信側において該送信電力制御情報に基づいて送信電力を制御する送信電力制御方法において、
送信電力が限界に達したか監視し、
限界に達した場合には、目標ＳＩＲの更新を中止する、
ことを特徴とする送信電力制御方法。
【請求項２】
送信電力が下限の限界に達した後に通信環境が悪化したとき、目標ＳＩＲの可変制御を再開する、
ことを特徴とする請求項１記載の送信電力制御方法。
【請求項３】
送信電力が上限の限界に達した後に通信環境が良くなったとき、目標ＳＩＲの可変制御を再開する、
ことを特徴とする請求項１記載の送信電力制御方法。
【請求項４】
前記目標ＳＩＲと測定ＳＩＲの大小を比較し、
目標ＳＩＲを下げる方向に制御している時、測定ＳＩＲの方が小さかった回数が大きかった回数の設定割合以下になった時、送信電力が下限の限界値に達したと判定する、
ことを特徴とする請求項１記載の送信電力制御方法。
【請求項５】
前記目標ＳＩＲと測定ＳＩＲの大小を比較し、
目標ＳＩＲを上げる方向に制御している時、測定ＳＩＲの方が大きかった回数が小さかった回数の設定割合以下になった時、送信電力が上限の限界値に達したと判定する、
ことを特徴とする請求項１記載の送信電力制御方法。
【請求項６】
目標ＳＩＲの両側に不感帯を設け、目標ＳＩＲと測定ＳＩＲの差が該不感帯に属する場合には前記回数のカウントを停止し、
目標ＳＩＲと測定ＳＩＲの差が該不感帯に属しない場合に前記回数のカウントを行う、
ことを特徴とする請求項４または５記載の送信電力制御方法。
【請求項７】
前記送信電力制御情報が電力アップを指示する回数と電力ダウンを指示する回数をカウントし、
目標ＳＩＲを下げる方向に制御している時、電力アップ指示回数が電力ダウン指示回数の設定割合以下になった時、送信電力が下限の限界値に達したと判定する、
ことを特徴とする請求項１記載の送信電力制御方法。
【請求項８】
前記送信電力制御情報が電力アップを指示する回数と電力ダウンを指示する回数をカウントし、
目標ＳＩＲを上げる方向に制御している時、電力ダウン指示回数が電力アップ指示回数
の設定割合以下になった時、送信電力が上限の限界値に達したと判定する、
ことを特徴とする請求項１記載の送信電力制御方法。
【請求項９】
受信データの測定品質と目標品質とを比較して目標ＳＩＲを可変制御すると共に、該目標ＳＩＲと測定ＳＩＲを比較し、比較結果に基づいて作成した送信電力制御情報を送信側に送信する送信電力制御装置において、
送信電力が限界に達したか監視する限界到達監視部、
限界に達した場合には目標ＳＩＲの更新を中止する目標ＳＩＲ更新部、
を備えたことを特徴とする送信電力制御装置。
【請求項１０】
前記目標ＳＩＲ更新部は、送信電力が下限の限界に達した後に通信環境が悪化したとき、目標ＳＩＲの可変制御を再開する、
ことを特徴とする請求項９記載の送信電力制御装置。
【請求項１１】
前記目標ＳＩＲ更新部は、送信電力が上限の限界に達した後に通信環境が良くなったとき、目標ＳＩＲの可変制御を再開する、
ことを特徴とする請求項９記載の送信電力制御装置。
【請求項１２】
前記限界到達監視部は、
前記目標ＳＩＲと測定ＳＩＲの大小を比較し、測定ＳＩＲの方が小さかった回数及び測定ＳＩＲの方が大きかった回数をそれぞれカウントするカウント部、
目標ＳＩＲを下げる方向に制御している時、測定ＳＩＲの方が小さかった回数が大きかった回数の設定割合以下になった時、送信電力が下限の限界値に達したと判定する判定部、
を備えたことを特徴とする請求項９記載の送信電力制御装置。
【請求項１３】
前記限界到達監視部は、
前記目標ＳＩＲと測定ＳＩＲの大小を比較し、測定ＳＩＲの方が小さかった回数及び測定ＳＩＲの方が大きかった回数をそれぞれカウントするカウント部、
目標ＳＩＲを上げる方向に制御している時、測定ＳＩＲの方が大きかった回数が小さかった回数の設定割合以下になった時、送信電力が上限の限界値に達したと判定する判定部、
を備えたことを特徴とする請求項９記載の送信電力制御装置。
【請求項１４】
前記カウント部は、
目標ＳＩＲの両側に不感帯を設け、目標ＳＩＲと測定ＳＩＲの差が該不感帯に属する場合には前記カウントを停止し、目標ＳＩＲと測定ＳＩＲの差が該不感帯に属しない場合に前記カウントを行う、
ことを特徴とする請求項１２または１３記載の送信電力制御装置。
【請求項１５】
前記限界到達監視部は、
前記送信電力制御情報が電力アップを指示する回数と電力ダウンを指示する回数をカウントするカウント部、
目標ＳＩＲを下げる方向に制御している時、電力アップ指示回数が電力ダウン指示回数の設定割合以下になった時、送信電力が下限の限界値に達したと判定する判定部、
を備えたことを特徴とする請求項９記載の送信電力制御装置。
【請求項１６】
前記限界到達監視部は、
前記送信電力制御情報が電力アップを指示する回数と電力ダウンを指示する回数をカウントするカウント部、
目標ＳＩＲを上げる方向に制御している時、電力ダウン指示回数が電力アップ指示回数の設定割合以下になった時、送信電力が上限の限界値に達したと判定する判定部、
を備えたことを特徴とする請求項９記載の送信電力制御装置。
【請求項１７】
復号前の受信信号に基づいて算出した受信品質を目標受信品質と比較した結果である第１比較結果に応じて、通信相手装置における送信電力制御に用いられる信号を送信する送信部と、復号後の受信信号に基づいて算出したエラー品質を目標エラー品質と比較した結果である第２比較結果に応じて前記目標受信品質を増加又は減少制御する目標受信品質更新部を備えた無線通信装置において、
前記第１比較結果に基づいて前記目標受信品質更新部による前記目標受信品質の増加又は減少の制御を規制する規制部、
を備えたことを特徴とする無線通信装置。
【請求項１８】
前記規制部は、前記第１比較結果により復号前の受信信号に基づいて算出した受信品質が前記目標受信品質に対して高い側に偏っている場合は、前記目標受信品質の減少制御を規制する、
ことを特徴とする請求項１７記載の無線通信装置。
【請求項１９】
前記規制部は、前記第１比較結果により復号前の受信信号に基づいて算出した受信品質が前記目標受信品質に対して低い側に偏っている場合は、前記目標受信品質の増加制御を規制する、
ことを特徴とする請求項１７記載の無線通信装置。
【発明の詳細な説明】
【技術分野】
【０００１】
本発明は送信電力制御装置及び送信電力制御方法に係わり、特に受信データの測定品質(たとえば復号後のデータに基づいて算出されるエラー品質)と目標品質とを比較して目標ＳＩＲ(復号前の受信信号に基づいて算出する受信品質の目標)を可変制御すると共に、該目標ＳＩＲと測定ＳＩＲ(復号前の受信信号に基づいて算出する受信品質)を比較し、比較結果に基づいて作成した送信電力制御情報を送信側に送信して送信側の送信電力を制御する送信電力制御装置及び送信電力制御方法に関する。
【背景技術】
【０００２】
Ｗ−CDMA移動通信では、各チャネルに割り当てる拡散コードによってチャネルを区別することにより、複数のチャネルが一つの周波数帯域を共有して通信を行う。しかし、実際の移動通信環境においては、マルチパスフェージングによる遅延波や他セルからの電波により、受信信号は自チャネル及び他チャネルから干渉を受け、該干渉がチャネル分離に悪影響を与える。また、マルチパスフェージングによる受信電力の瞬時変動や、同時に通話しているユーザ数の変化によって、受信信号が受ける干渉量は時間的に変化する。このように、時間的に変動する干渉を受けるような環境下では、基地局に接続した移動局における受信信号の品質を、所望の品質に安定して保つことは困難である。
このような干渉ユーザ数の変化やマルチパスフェージングによる瞬時値変動に追従するために、3GPP （3rd Generation Partnership Project）規格に準ずるW-CDMA移動局などでは、受信信号の信号対干渉電力比（ＳＩＲ）を測定し、測定ＳＩＲと目標ＳＩＲを比較することにより受信ＳＩＲが目標ＳＩＲに近づくように送信電力制御情報を作成して基地局に送信し、基地局は該送信電力制御情報に基づいて送信電力を制御するインナーループ送信電力制御（inner-loop Transmission Power Control）が行われる。ところで、通信中の移動速度の変化や移動による伝搬環境の変化により、所望の品質（ブロックエラーレートＢＬＥＲ：Block Error Rate）を得るために必要なＳＩＲは一定ではない。ＢＬＥＲとは一定期間におけるトランスポートブロック(ＴｒＢｋ )の総数とＣＲＣ エラーとなったＴｒＢｋ 数の比率である。これらの変化に対応するために、移動局はＢＬＥＲを測定し、測定品質が目標品質よりも悪ければ目標ＳＩＲを増加し、良ければ目標ＳＩＲを減少する制御を行なう。このように所望品質を実現するために目標ＳＩＲを適応的に変更する制御は、アウターループ送信電力制御（outer-loop Transmission Power Control）と呼ばれる。【０００３】
・インナーループ送信電力制御
図１４はインナーループ送信電力制御およびアウターループ送信電力制御の説明図である。基地局(ＢＴＳ)１の送信部１ａ内の拡散変調部は指定されたチャネルに応じた拡散コードを用いて送信データを拡散変調し、電力増幅器は、拡散変調後に直交変調、周波数変換などの処理を施された信号を増幅してアンテナより移動局（ＭＳ）2に向けて送信する。移動局の受信部２ａ内の逆拡散部は受信信号に逆拡散処理を施し、復調部は受信データを復調する。ＳＩＲ測定部２ｂは受信信号と干渉信号との電力比であるＳＩＲを測定し、比較部２ｃは後述するアウターループ送信電力制御で決定された目標ＳＩＲと測定ＳＩＲを比較し、ＴＰＣビット生成部２ｄは測定ＳＩＲが目標ＳＩＲより大きければＴＰＣ(Transmission Power Control)ビットで送信電力を下げるコマンドを作成し、測定ＳＩＲが目標ＳＩＲより小さければＴＰＣビットで送信電力を上げるコマンドを作成する。
送信部２ｅ内の拡散変調部は、図示しない符号部で符号化された送信データ(音声,ＵＤＩ,パケットデータなど)及び制御データ（ＴＰＣ、ＴＦＣＩ、Ｐｉｌｏｔ、ＦＢＩ）をそれぞれI／Q 信号として拡散変調し、無線部は拡散変調された信号に直交変調、周波数変換、電力増幅などの処理を施してアンテナより基地局１に向けて送信する。基地局１の受信部
１ｂは、移動局から受信した信号に逆拡散処理を施し、受信データ、ＴＰＣビットを復調し、ＴＰＣ下り電力制御部１ｂは該ＴＰＣビットで指示されたコマンドにしたがって送信部１ａ内の送信電力増幅器の送信電力を所定量アップ又はダウン制御する。以後、所望の目標ＳＩＲが得られるように上記送信電力制御が行われる。なお、目標ＳＩＲはたとえば、１０-3(１０００回に１回の割合でエラー発生)を得るために必要なＳＩＲ値であり、アウターループ送信電力制御で決定される。【０００４】
図１５は3GPPで標準化されている上りリンク（uplink）の個別物理チャネルDPCH (Dedicated Physical Channel)フレームの構成図で、送信データのみが送信されるDPDCHチャネル (Dedicated Physical Data Channel)と、Ｐｉｌｏｔや図１４で説明したＴＰＣビット情報等の制御データが多重されて送信されるDPCCHチャネル(Dedicated Physical Control
Channel)を有し、それぞれ直交符号により拡散されたあと、実数軸および虚数軸にマッピングされて多重される。上りリンクの1フレームは10msecで、15スロット（slot#0〜slot#14)で構成されている。DPDCHチャネルは直交するIチャンネルにマッピングされ、DPCCHチャネルは直交するQチャンネルにマッピングされる。DPDCHチャネルの各スロットはｎビットで構成され、ｎはシンボル速度に応じて変化する。制御データを送信するDPCCHチャネルの各スロットは10ビットで構成され、シンボル速度は１５kbps一定であり、パイロットＰｉｌｏｔ、送信電力制御データＴＰＣ、トランスポート・フォーマット・コンビネーション・インジケータＴＦＣＩ、フィードバック情報ＦＢＩを送信する。ＴＰＣビットは、スロットフォーマットにより図１６に示すように1ビットの場合と２ビットの場合があり、1ビットの場合には、“１”で電力アップを、“０”で電力ダウンを意味し、２ビットの場合には“１１” で電力アップを、“００”で電力ダウンを意味する。【０００５】
・アウターループ送信電力制御
アウターループ制御では、移動局２の受信部２ａ内の復調部は基地局１から送信された信号を復調し、誤り訂正復号器は復調信号に誤り訂正処理を施し、クオリティ測定部２ｆのCRC検出部は誤り訂正復号結果をトランスポートブロックＴｒＢｋ毎に分割し、各ＴｒＢｋ毎にCRC誤り検出を行なってＢＬＥＲ(Block Error Rate)を算出し、該ＢＬＥＲ（測定ＢＬＥＲ）を比較部２ｇへ入力する。また、上位レイヤアプリケーション部２ｈは、個別チャネルDCH (Dedicated CH)が張られた直後に音声、パケットなどのDCH のサービス種別に応じた目標ＢＬＥＲ を比較部２ｇに設定する。比較部２ｇは測定ＢＬＥＲと目標ＢＬＥＲを比較し、比較結果を目標ＳＩＲ更新部２ｉに入力する。目標ＳＩＲ更新部２ｉは、測定ＢＬＥＲの方が目標ＢＬＥＲより良ければ(受信品質が良好)、目標ＳＩＲが小さくなるように該目標ＳＩＲを更新し、逆に目標ＢＬＥＲの方が良ければ(受信品質が劣化)目標ＳＩＲが大きくなるように該目標ＳＩＲを更新する。以上により、アウターループ制御によれば、通信環境に応じた目標ＢＬＥＲが得られるように目標ＳＩＲを可変制御し、これにより、インナーループ制御により常に適切な電力を基地局に要求することができる。【０００６】
ところで、基地局１の下り送信電力には下限と上限が存在し、下限値以下に送信電力を下げることができず、又、上限値以上に送信電力を上げることができない。この送信電力の限界により受信品質が良好な環境において目標ＳＩＲが過渡に低い値になったり、あるいは受信品質が不良な環境において過度に高い値になる。かかる状態において移動などにより環境が変化すると、目標ＳＩＲは過渡に低い値あるいは高い値になっているため、短時間で該環境変化に対応した適切な目標ＳＩＲにならず、即応的な送信電力制御ができない問題が発生する。
図１７は受信品質が良好な環境において送信電力制御した場合おける測定ＳＩＲ、受信品質（クオリティ）、目標ＳＩＲの変化曲線であり、点線は希望する変化曲線、実線は基地局の送信電力が下限値に到達しそれ以上送信電力を下げれなくなった時の曲線である。まず、点線の希望変化曲線に着目して送信電力制御を説明する。基地局が近くで受信品質が良好な環境においては、測定品質が目標品質より良好になるため、アウターループ制御に
より目標ＳＩＲを所定量づつ下げる。また、インナーループ制御により送信電力を下げる制御が行われて測定ＳＩＲ、測定品質が右下がりに漸減する。送信電力に下限がなければ、以上の制御により時刻Ｔ2において測定品質と目標品質がほぼ一致し、また測定ＳＩＲと目標ＳＩＲがほぼ一致する。以後、良好な受信状態が継続すれば測定ＳＩＲ、目標ＳＩＲ、測定品質は横ばいになり、目標ＳＩＲは過渡に小さくならない。時刻Ｔ3において移動により受信状態が悪化すると、測定ＳＩＲ、測定品質が一時的に低下するが、インナーループ制御、アウターループ制御により送信電力が大きくなって測定ＳＩＲ、目標ＳＩＲは新たな受信環境に応じた値に安定し、また測定品質は目標品質に一致する。この場合、目標ＳＩＲは環境良好時において過渡に小さくなっていないため、アウターループ制御により短時間で新環境に応じた値になり、短時間で送信電力を該新環境に応じた値に制御することができる。【０００７】
以上は希望変化曲線に従った送信電力制御であるが、実際には、送信電力に下限があるため、下限値以下に送信電力を下げることができない。このため、受信品質が良好な環境において送信電力を下げる制御が行われて実線で示すように測定ＳＩＲ、測定品質が漸減するが、Ｔ1において送信電力が下限値に到達し、以後、測定ＳＩＲ、測定品質は横ばいなる。この時、実際の測定品質は目標品質より良いため、以後、アウターループ制御により目標ＳＩＲは所定量づつ漸減して小さな値になる。そして、時刻Ｔ3において移動により受信状態が悪化すると、測定ＳＩＲ、測定品質が一時的に低下し、インナーループ制御、アウターループ制御により送信電力が大きくなって測定ＳＩＲ、目標ＳＩＲは新たな受信環境に応じた値に安定し、また測定品質は目標品質に一致する。この場合、目標ＳＩＲは過渡に小さくなっているため新環境に応じた値になるまでに時間を要し、送信電力を新たな環境に応じた値になるまでに長時間を要し、目標品質が得られない期間が長くなる問題が発生する。【０００８】
図１８は受信品質が不良な環境において送信電力制御した場合おける測定ＳＩＲ、受信品質（クオリティ）、目標ＳＩＲの変化曲線であり、点線は希望する変化曲線、実線は基地局の送信電力が上限値に到達しそれ以上送信電力を上げれなくなった時の曲線である。まず、点線の希望変化曲線に着目して送信電力制御を説明する。受信品質が不良な環境においては、測定品質が目標品質より不良になるため、アウターループ制御により目標ＳＩＲを所定量づつ上げる。また、インナーループ制御により送信電力を上げる制御が行われて測定ＳＩＲ、測定品質が右上がりに漸増する。送信電力に上限がなければ、以上の制御により時刻Ｔ2において測定品質と目標品質がほぼ一致し、また測定ＳＩＲと目標ＳＩＲがほぼ一致する。以後、受信状態に変化がなければ測定ＳＩＲ、目標ＳＩＲ、測定品質は横ばいになり、目標ＳＩＲは過渡に大きくならない。時刻Ｔ3において移動により受信状態が良好になると、測定ＳＩＲ、測定品質が一時的に大きくなるが、インナーループ制御、アウターループ制御により送信電力が小さくなって測定ＳＩＲ、目標ＳＩＲは新たな受信環境に応じた値に安定し、また測定品質は目標品質に一致する。この場合、目標ＳＩＲは環境不良時において過渡に大きくなっていないため、アウターループ制御により短時間で新環境に応じた値になり、短時間で送信電力を該新環境に応じた値に制御することができる。【０００９】
以上は希望変化曲線に従った送信電力制御であるが、実際には、送信電力に上限があるため、上限値以上に送信電力を上げることができない。このため、受信品質が不良な環境において送信電力を上げる制御が行われて実線で示すように測定ＳＩＲ、測定品質が漸増するが、時刻Ｔ1において送信電力が上限値に到達し、以後、測定ＳＩＲ、測定品質は横ばいなる。この時、実際の測定品質は目標品質より悪いため、以後、アウターループ制御により目標ＳＩＲは所定量づつ漸増して大きな値になる。そして、時刻Ｔ3において移動により受信状態が良好になると、測定ＳＩＲ、測定品質が一時的に高くなり、インナーループ制御、アウターループ制御により送信電力が小さくなって測定ＳＩＲ、目標ＳＩＲは新たな受信環境に応じた値に安定し、また測定品質は目標品質に一致する。この場合、目標ＳＩＲは過渡に大きくなっているため新環境に応じた値になるまでに時間を要し、送信電力を新たな環
境に応じた値になるまでに長時間を要し、目標品質が得られない期間が長くなる問題が発生する。
伝搬環境が急激に劣悪なった場合における目標ＳＩＲの更新遅れを防止して通信品質を保証する技術がある(たとえば特許文献１参照)。この従来技術は、更新されている目標ＳＩＲの過去一定期間内の最大値と最小値との差が設定値を超える場合に、目標ＳＩＲに下限値を設け、目標ＳＩＲが該下限値以下に設定されないようにするものである。
【特許文献１】特開２００１−２７４７４８号公報
【００１０】
従来技術は目標ＳＩＲの更新遅れを防止する点で有用であるが、装置が本来有している能力に制限を加える点で好ましくない。また、従来技術は、送信電力が下限値あるいは上限値に到達して目標ＳＩＲが過渡に小さな値になったり、過渡に大きな値になったりするのを防止するものではない。
以上から本発明の目的は、送信電力が下限値あるいは上限値に到達しても目標受信品質（目標ＳＩＲ）が過渡に小さな値になったり、過渡に大きな値になったりするのを防止することである。
本発明の別の目的は、送信電力が下限値あるいは上限値に到達したことを受信側で検出し、目標受信品質（目標ＳＩＲ）が過渡に小さな値になったり、過渡に大きな値になったりするのを防止することである。
本発明の別の目的は、送信電力が下限値あるいは上限値に到達したことを受信側で正確に検出することである。
【発明の開示】
【００１１】
上記課題は本発明によれば、受信側において受信データの測定品質と目標品質を比較して目標ＳＩＲを可変制御すると共に、該目標ＳＩＲと測定ＳＩＲを比較し、比較結果に基づいて作成した送信電力制御情報を送信側に送信し、送信側において該送信電力制御情報に基づいて送信電力を制御する送信電力制御方法において、送信電力が限界に達したか監視し、限界に達した場合には目標ＳＩＲの更新を中止する送信電力制御方法により達成される。
目標ＳＩＲを下げる方向に制御している時、送信電力が限界に達したかの検出は、前記目標ＳＩＲと測定ＳＩＲの大小を比較し、測定ＳＩＲの方が小さかった回数が大きかった回数の設定割合以下になった時、送信電力が下限の限界値に達したと判定することにより行う。また、目標ＳＩＲを上げる方向に制御している時、送信電力が限界に達したかの検出は、前記目標ＳＩＲと測定ＳＩＲの大小を比較し、測定ＳＩＲの方が大きかった回数が小さかった回数の設定割合以下になった時、送信電力が上限の限界値に達したと判定することにより行う。なお、目標ＳＩＲの両側に不感帯を設け、目標ＳＩＲと測定ＳＩＲの差が該不感帯に属する場合には前記回数のカウントを停止し、目標ＳＩＲと測定ＳＩＲの差が該不感帯に属しない場合に前記回数のカウントを行う。
また、目標ＳＩＲを下げる方向に制御している時、送信電力制御が限界に達したかの別の検出は、送信電力制御情報が電力アップを指示する回数と電力ダウンを指示する回数をカウントし、電力アップ指示回数が電力ダウン指示回数の設定割合以下になった時、送信電力が下限の限界値に達したと判定することにより行う。また、目標ＳＩＲを上げる方向に制御している時、送信電力制御が限界に達したかの別の検出は、前記送信電力制御情報が電力アップを指示する回数と電力ダウンを指示する回数をカウントし、電力ダウン指示回数が電力アップ指示回数の設定割合以下になった時、送信電力が上限の限界値に達したと判定することにより行う。
【００１２】
上記課題は本発明によれば、受信データの測定品質と目標品質とを比較して目標ＳＩＲを可変制御すると共に、該目標ＳＩＲと測定ＳＩＲを比較し、比較結果に基づいて作成した送信電力制御情報を送信側に送信する送信電力制御装置において、送信電力制御が限界に達したか監視する限界到達監視部、限界に達した場合には目標ＳＩＲの更新を中止する
目標SIR更新部を備えた送信電力制御装置により達成される。
前記限界到達監視部は、前記目標ＳＩＲと測定ＳＩＲの大小を比較し、測定ＳＩＲの方が小さかった回数及び測定ＳＩＲの方が大きかった回数をそれぞれカウントするカウント部、目標ＳＩＲを下げる方向に制御している時、測定ＳＩＲの方が小さかった回数が大きかった回数の設定割合以下になった時、送信電力が下限の限界値に達したと判定する判定部を備えている。
また、前記限界到達監視部は、前記目標ＳＩＲと測定ＳＩＲの大小を比較し、測定ＳＩＲの方が小さかった回数及び測定ＳＩＲの方が大きかった回数をそれぞれカウントするカウント部、目標ＳＩＲを上げる方向に制御している時、測定ＳＩＲの方が大きかった回数が小さかった回数の設定割合以下になった時、送信電力が上限の限界値に達したと判定する判定部を備えている。また、前記カウント部は、目標ＳＩＲの両側に不感帯を設け、目標ＳＩＲと測定ＳＩＲの差が該不感帯に属する場合には前記カウントを停止し、目標ＳＩＲと測定ＳＩＲの差が該不感帯に属しない場合に前記カウントを行う。
【００１３】
上記課題は本発明によれば、復号前の受信信号に基づいて算出した受信品質を目標受信品質と比較した結果である第１比較結果に応じて、通信相手装置における送信電力制御に用いられる信号を送信する送信部と、復号後の受信信号に基づいて算出したエラー品質を目標エラー品質と比較した結果である第２比較結果に応じて前記目標受信品質を増加又は減少制御する目標受信品質更新部と、前記第１比較結果に基づいて前記目標受信品質更新部による前記目標受信品質の増加又は減少の制御を規制する規制部を備えた無線通信装置により達成される。
規制部は、前記第１比較結果により復号前の受信信号に基づいて算出した受信品質が前記目標受信品質に対して高い側に偏っている場合は、前記目標受信品質の減少制御を規制する。また、規制部は、前記第１比較結果により復号前の受信信号に基づいて算出した受信品質が前記目標受信品質に対して低い側に偏っている場合は、前記目標受信品質の増加制御を規制する。
本発明によれば、送信電力が下限値あるいは上限値に到達しても目標ＳＩＲが過渡に小さな値になったり、過渡に大きな値になったりするのを防止できる。このため、短時間で新たな環境に応じた適切な目標ＳＩＲ値にすることができ、短時間で送信電力を所望値にすることができる。すなわち、本発明によれば、環境変化に即応して短時間で目標品質となるように送信電力制御をすることができる。
本発明によれば、送信電力が限界に達したかの検出は、前記目標ＳＩＲと測定ＳＩＲの大小を比較し、測定ＳＩＲの方が小さかった回数と大きかった回数の比率に基づいて送信電力が限界に達したと判定するようにしたから、送信電力が下限値あるいは上限値に到達したことを受信側で検出することができる。また、目標ＳＩＲの両側に不感帯を設け、目標ＳＩＲと測定ＳＩＲの差が該不感帯に属する場合には前記回数のカウントを停止し、目標ＳＩＲと測定ＳＩＲの差が該不感帯に属しない場合に前記回数のカウントを行うようにしたから、送信電力が下限値あるいは上限値に到達したことを受信側で正確に検出することができる。
又、本発明によれば、送信電力が限界に達したかの検出は、送信電力制御情報が電力アップを指示する回数と電力ダウンを指示する回数をカウントし、電力アップ指示回数と電力ダウン指示回数の比率に基づいて送信電力制御が限界に達したと判定するようにしたから、送信電力が下限値あるいは上限値に到達したことを受信側で簡単に検出することができる。
【図面の簡単な説明】
【００１４】
【図１】本発明の送信電力制御を実現する基地局と移動局の構成図である。
【図２】基地局から送られてくる下りリンクのフレーム構成図である。
【図３】受信品質が良好な環境における送信電力制御説明図である。
【図４】受信品質が不良な環境における送信電力制御説明図である。
【図５】送信電力制御不可能状態の検出原理説明図である。
【図６】電力分布判定部のブロック構成図である。
【図７】電力分布判定部の電力分布測定処理フローである。
【図８】目標ＳＩＲ更新部の処理フローである。
【図９】第２実施例の送信電力制御を実現する基地局と移動局の構成図である。
【図１０】第２実施例の電力分布測定処理フローである。
【図１１】誤差により電力分布説明図である。
【図１２】目標ＳＩＲの両側に設けた不感帯の説明図である。
【図１３】第３実施例における電力分布測定処理フローである。
【図１４】従来のインナーループ送信電力制御およびアウターループ送信電力制御の説明図である。
【図１５】3GPPで標準化されている上りリンクにおける個別物理チャネルフレームの構成図である。
【図１６】ＴＰＣビット説明図である。
【図１７】受信品質が良好な環境において送信電力制御した場合おける従来の測定ＳＩＲ、受信品質、目標ＳＩＲの変化曲線である。
【図１８】受信品質が不良な環境において送信電力制御した場合おける従来の測定ＳＩＲ、受信品質、目標ＳＩＲの変化曲線である。
【発明を実施するための最良の形態】
【００１５】
(１) 第１実施例
（ａ）概略
本発明の送信電力制御装置は、受信側において受信データの測定品質と目標品質を比較して目標ＳＩＲを可変制御すると共に、該目標ＳＩＲと測定ＳＩＲを比較し、比較結果に基づいて作成した送信電力制御情報（TPC情報）を送信側に送信し、該送信側において該送信電力制御情報に基づいて送信電力を制御する。更に、送信電力制御装置は、送信電力が限界に達したか監視し、限界に達した場合には目標ＳＩＲを最新の値に固定して更新を中止する。そして、送信電力が下限の限界値に達した後に通信環境が悪化したとき、あるいは、送信電力が上限の限界値に達した後に通信環境が良くなったとき、目標ＳＩＲの可変制御を再開する。このようにすれば、目標ＳＩＲが過渡に小さな値になったり、過渡に大きな値になったりするのを防止でき、短時間で新たな環境に応じた適切な目標ＳＩＲ値にすることができ、短時間で送信電力を所望値にすることができる。【００１６】
（ｂ）構成
図１は本発明の送信電力制御を実現する基地局と移動局の構成図である。
基地局(ＢＴＳ)１０の送信部１１内の拡散変調部は指定されたチャネルに応じた拡散コードを用いて送信データを拡散変調し、電力増幅器は、拡散変調後に直交変調、周波数変換などの処理を施された信号を増幅してアンテナより移動局（ＭＳ）２０に向けて送信する。移動局の受信部２１内の逆拡散部は受信信号に逆拡散処理を施し、復調部は受信データを復調する。ＳＩＲ測定部２２は復号前の受信信号についての受信品質を測定するものであり、好ましくは、受信信号と干渉信号との電力比を測定することとする。例えば、送信電力制御の対象である下り個別物理チャネルＤＰＣＨ(図２参照)に含まれるパイロット信号Pilotを用いてＳＩＲを測定する。図２は基地局から送られてくる下りリンクのフレーム構成図であり、１フレーム＝10msec、15スロット#0〜#14で構成され、スロット毎に、第1データ部Data1、第２データ部Data2を送信する個別物理データチャネルDPDCHと、Pilot、TPC、TFCIを送信する個別物理制御チャネルDPCCHとを時分割多重する構成を有している。
比較部(第１比較部)２３は後述するアウターループ送信電力制御で決定された目標ＳＩＲと測定ＳＩＲを比較し、ＴＰＣビット生成部２４は測定ＳＩＲが目標ＳＩＲより大きければＴＰＣビットで送信電力を下げるコマンドを作成し、測定ＳＩＲが目標ＳＩＲより小さければＴＰＣビットで送信電力を上げるコマンドを作成する。送信部２５内の拡散変調部は、図示しない符号部で符号化された送信データ及びＴＰＣビットを含む制御データをそれぞれI／Q 信号として拡散変調し、無線部は拡散変調された信号に直交変調、周波数変換、電力増幅などの処理を施してアンテナより基地局１０に向けて送信する。基地局１０の受信部１２は、移動局から受信した信号に逆拡散処理を施し、受信データ、ＴＰＣビットを復調し、ＴＰＣ下り電力制御部１３は該ＴＰＣビットで指示されたコマンドにしたがって送信部１１内の電力増幅器の送信電力を所定量アップ又はダウン制御する。以後、所望の目標ＳＩＲが得られるように上記送信電力制御が行われる。【００１７】
以上のインナーループ制御と並行して、移動局の受信部２１内の復調部は基地局１０から送信された信号を復調し、誤り訂正復号器は復調信号に誤り訂正処理を施し、クオリティ測定部２６のCRC検出部は誤り訂正復号結果をトランスポートブロックＴｒＢｋに分割し、各ＴｒＢｋ毎にCRC誤り検出を行なってＢＬＥＲを算出し、該ＢＬＥＲ（測定品質）を比較部（第２比較部）２７へ入力する。また、上位レイヤアプリケーション部２８は、個別チャネルDCHが張られた直後にDCH のサービス種別に応じた所要ＢＬＥＲ（目標品質）を比較部２７に設定する。比較部２７は測定品質と目標品質を比較し、比較結果を目標ＳＩＲ更新部２９に入力する。
電力分布判定部(規制部)３０は送信電力分布を求めて目標ＳＩＲ更新部２９に入力する。すなわち、電力分布判定部３０は目標ＳＩＲと測定ＳＩＲの大小を比較し、測定ＳＩＲが目標ＳＩＲより小さい回数Ｕｐおよび大きい回数Ｄｏｗｎをカウントし、カウント値を目標ＳＩＲ更新部２９に入力する。
目標ＳＩＲ更新部(規制部)２９は、後述するようにカウント値Ｕｐ，Ｄｏｗｎを用いて送信電力制御が不可能状態になったか、すなわち、送信電力が下限値あるいは上限値に到達して制御不可能になったか判定し、該判定結果に基づいて目標ＳＩＲの更新を行う。すなわち、目標ＳＩＲ更新部２９は、送信電力制御が可能であり、測定品質の方が目標品質より良ければ(受信品質が良好)、目標ＳＩＲを現在値から所定量Δ1小さくなるように該目標ＳＩＲを更新して比較部２３に入力する。また、目標ＳＩＲ更新部２９は、送信電力制御が可能であり、測定品質の方が目標品質より悪ければ(受信品質が不良)、目標ＳＩＲが所定量Δ2（Δ2＞Δ1）大きくなるように該目標ＳＩＲを更新して比較部２３に入力する。また、目標ＳＩＲ更新部２９は、送信電力制御が不可能であれば、目標ＳＩＲを最新の値に固定して更新はしない（目標ＳＩＲに対して測定ＳＩＲが高い側に偏っている場合、又は目標ＳＩＲに対して測定ＳＩＲが低い側に偏っている場合）。そして、送信電力制御が不可能になってから（送信電力が下限の限界に達した場合）、通信環境が悪化して送信電
力制御が可能になれば、目標ＳＩＲの更新制御を再開する。同様に、目標ＳＩＲ更新部２９は、送信電力制御が不可能になってから（送信電力が上限の限界に達した場合）、通信環境が良くなって送信電力制御が可能になれば、目標ＳＩＲの更新制御を再開する。【００１８】
（ｃ）送信電力制御
従って、基地局が近くで受信品質が良好な環境においては以下の送信電力制御が行われる。すなわち、受信品質が良好な環境では測定品質が目標品質より良好になるため、図３に示すように目標ＳＩＲ更新部２９は目標ＳＩＲを所定量Δ1づつ下げる。また、インナーループ制御により送信電力を下げる制御が行われて測定ＳＩＲ、測定品質が漸減する。そして、時刻Ｔ1において送信電力が下限値に到達して送信電力制御が不可能な状態になれば、以後、送信電力制御が可能になるまで測定ＳＩＲ、測定品質は横ばいなる。また、測定品質は目標品質より良いため、以後も目標ＳＩＲ更新部２９は目標ＳＩＲを所定量づつ漸減する。しかし、時刻Ｔ1′において送信電力制御不可能状態を検出すると、目標ＳＩＲ更新部２９は目標ＳＩＲの更新を停止し、最新の値に固定する。以後、送信電力制御が可能な環境になるまで測定ＳＩＲ、測定品質、目標ＳＩＲは一定値に安定する。
そして、時刻Ｔ3において移動により受信状態が悪化すると、測定ＳＩＲ、測定品質が一時的に低下するが送信電力制御が可能になり、インナーループ制御、アウターループ制御により送信電力が短時間で大きくなって測定ＳＩＲ、目標ＳＩＲは新たな受信環境に応じた値に安定し、また測定品質も短時間で目標品質に一致するようになる。すなわち、目標ＳＩＲは従来例のように過渡に小さくなっていないため、短時間ΔTで新環境に応じた値になり、短時間で送信電力を新たな環境に応じた値にして測定品質を目標品質に一致させることができる。【００１９】
また、受信品質が不良な環境においては以下の送信電力制御が行われる。すなわち、受信品質が不良な環境では測定品質が目標品質より悪いため、図４に示すように目標ＳＩＲ更新部２９は目標ＳＩＲを所定量づつ上げる。また、インナーループ制御により送信電力を上げる制御が行われて測定ＳＩＲ、測定品質が漸増する。そして、時刻Ｔ1において送信電力が上限値に到達して送信電力制御が不可能な状態になれば、以後、送信電力制御が可能になるまで測定ＳＩＲ、測定品質は横ばいなる。また、測定品質は目標品質より悪いため、以後も目標ＳＩＲ更新部２９は目標ＳＩＲを所定量づつ漸増する。しかし、時刻Ｔ1′において、送信電力制御不可能状態を検出すると、目標ＳＩＲ更新部２９は目標ＳＩＲの更新を停止し、最新の値に固定する。以後、送信電力制御が可能な環境になるまで測定ＳＩＲ、測定品質、目標ＳＩＲは一定値に固定する。
そして、時刻Ｔ3において移動により受信状態が良好になると、測定ＳＩＲ、測定品質が一時的に上昇するが送信電力制御が可能になり、インナーループ制御、アウターループ制御により送信電力が短時間で小さくなって測定ＳＩＲ、目標ＳＩＲは新たな受信環境に応じた値に安定し、また測定品質も短時間で目標品質に一致するようになる。すなわち、目標ＳＩＲは従来例のように過渡に大きくなっていないため、短時間ΔTで新環境に応じた値になり、短時間で送信電力を新たな環境に応じた値にして測定品質を目標品質に一致させることができる。【００２０】
（ｄ）送信電力制御不可能状態の検出原理
図５は目標ＳＩＲ更新部２９による送信電力制御不可能状態の検出原理説明図である。送信電力可能状態において、下り送信電力は状態（１）のように目標ＳＩＲの近傍に分布し、目標ＳＩＲを中心とする正規分布を示す。これにより、受信側で測定したＳＩＲ（測定ＳＩＲ）が目標ＳＩＲより大きい回数Ｄｏｗｎと、目標ＳＩＲより小さい回数Ｕｐがほぼ等しくなる。送信電力可能状態においては、状態（２）のように、目標ＳＩＲの更新を行うと、更新後の下り送信電力は新しい目標ＳＩＲの近傍に正規分布し、測定ＳＩＲが目標ＳＩＲより大きい回数Ｄｏｗｎと、目標ＳＩＲより小さい回数Ｕｐがほぼ等しくなる。ところが、状態（３）のように基地局の送信電力が下限値に到達して送信電力制御不可能
状態になると、下り電力分布は目標ＳＩＲに対して高い側により多く分布し、更に状態（４）のように目標ＳＩＲを下げた場合、この傾向が顕著になる。すなわち、送信電力制御不可能状態になると、測定ＳＩＲが目標ＳＩＲより小さい回数Ｕｐは、測定ＳＩＲが目標ＳＩＲより大きい回数Ｄｏｗｎに比べて小さくなり、目標ＳＩＲが小さくなるほどその差がおおきくなる。そこで、電力分布判定部３０は目標ＳＩＲと測定ＳＩＲの大小を比較して比較結果をカウントし、目標ＳＩＲ更新部２は目標ＳＩＲを下げる方向に制御している時、測定ＳＩＲの方が小さかった回数Ｕｐが大きかった回数Ｄｏｗｎの１／４以下になった時、送信電力制御が限界に達したと判定する。なお、１／４は一例であり、この比率に限定するものではない。【００２１】
以上は、目標ＳＩＲを下げる方向に制御した場合であるが上げる方向に制御した場合も同様である。すなわち、基地局の送信電力が上限値に到達して送信電力制御不可能状態になると、下り電力分布は目標ＳＩＲに対して低い側により多く分布し、更に目標ＳＩＲを上げるとこの傾向は顕著になる。すなわち、送信電力制御不可能状態になると、測定ＳＩＲが目標ＳＩＲより大きい回数Ｄｏｗｎは、測定ＳＩＲが目標ＳＩＲより小さい回数Ｕｐに比べて小さくなり、目標ＳＩＲが大きくなるほどその差がおおきくなる。そこで、電力分布判定部３０は目標ＳＩＲと測定ＳＩＲの大小を比較して比較結果をカウントし、目標ＳＩＲを上げる方向に制御している時、測定ＳＩＲの方が大きかった回数Ｄｏｗｎが小さかった回数Ｕｐの１／４以下になった時、送信電力制御が限界に達したと判定する。なお、１／４は一例であり、この比率に限定するものではない。【００２２】
（ｅ）電力分布判定
図６は電力分布判定部３０のブロック構成図であり、スロット周期（６６７μｓ＝１０ｍｓ／１５）で測定ＳＩＲと目標ＳＩＲの大小を比較する比較器３０ａ、目標ＳＩＲが更新されてから次に更新されるまでの期間、測定ＳＩＲが目標ＳＩＲより大きい回数Downと小さい回数Upをそれぞれカウントして出力するカウント部３０ｂを備えている。
図７は電力分布判定部の電力分布測定処理フローである。初期時に、カウント値Ｄｏｗｎ、Ｕｐをゼロにクリアし(ステップ１０１)、ついで、新目標ＳＩＲが算出されたかチェックし(ステップ１０２)、算出されていなければ、スロット周期で測定ＳＩＲが目標ＳＩＲより小さいかチェックし(ステップ１０３)、測定ＳＩＲ＜目標ＳＩＲであればカウント値Ｕｐをインクリメントし(ステップ１０４)、測定ＳＩＲ＞目標ＳＩＲであればカウント値Ｄｏｗｎをインクリメントし(ステップ１０５)、ステップ１０２に戻り以降の処理を繰返す。以上により次の目標ＳＩＲが算出されるまでの期間における、測定ＳＩＲ＜目標ＳＩＲである分布（カウント値Ｕｐ）と測定ＳＩＲ＞目標ＳＩＲである分布（カウント値Ｄｏｗｎ）が求まる。以上の処理が繰返されて、ステップ１０２において、新目標ＳＩＲが算出ればカウント値Ｕｐ、Ｄｏｗｎを目標ＳＩＲ更新部２９に入力する(ステップ１０６)。【００２３】
（ｆ）目標ＳＩＲ更新処理
図８は目標ＳＩＲ更新部２９の処理フローである。目標ＳＩＲ更新部２９は比較器２７から目標品質と測定品質の比較結果が入力すると、該比較結果に基づいて新目標ＳＩＲを決定する(ステップ２０１)。すなわち、目標ＳＩＲ更新部２９は測定品質が目標品質より良好であれば、新目標ＳＩＲを現目標ＳＩＲより所定量Δ1小さい値とし、測定品質が目標品質より不良であれば、新目標ＳＩＲを現目標ＳＩＲより所定量Δ2大きい値にする。ついで、目標ＳＩＲ更新部２９は電力分布判定部３０よりカウント値Ｕｐ，Ｄｏｗｎを取得し(ステップ２０２)、ついで、現在の目標ＳＩＲと新目標ＳＩＲの大小を比較して目標ＳＩＲの更新方向を判別する(ステップ２０３)。目標ＳＩＲを小さくする方向に制御している場合には、目標ＳＩＲ更新部２９は、測定ＳＩＲの方が目標ＳＩＲより小さかった回数Ｕｐが大きかった回数Ｄｏｗｎの１／４（Ｂ＝Ｄｏｗｎ／４）以下になったかチェックする(ステップ２０４)。なお、１／４は一例であり、この比率に限定するものではない。
Ｕｐ＜Ｂであれば、送信電力が下限値に到達して送信電力制御が限界に達したと判定し、目標ＳＩＲの更新をしない(ステップ２０６)。一方、Ｕｐ＞Ｂであれば、目標ＳＩＲ更新部２９は、送信電力制御が可能であると判断して現在の目標ＳＩＲをステップ２０１で求めてある新目標ＳＩＲに更新し(ステップ２０７)、処理を終了する。【００２４】
ステップ２０３において、目標ＳＩＲを大きくする方向に制御している場合には、目標ＳＩＲ更新部２９は、測定ＳＩＲの方が目標ＳＩＲより大きかった回数Ｄｏｗｎが小さかった回数Ｕｐの１／４（Ａ＝Ｕｐ／４）以下になったかチェックする(ステップ２０５)。なお、１／４は一例であり、この比率に限定するものではない。
Ｄｏｗｎ＜Ａであれば、送信電力が上限値に到達して送信電力制御が限界に達したと判定し、目標ＳＩＲの更新をしない(ステップ２０８)。一方、Ｄｏｗｎ＞Ａであれば、目標ＳＩＲ更新部２９は、送信電力制御が可能であると判断して現在の目標ＳＩＲをステップ２０１で求めてある新目標ＳＩＲに更新し(ステップ２０９)、処理を終了する。
なお、ステップ２０１〜２０５により送信電力が限界に達したか監視する限界到達監視部が形成され、ステップ２０６〜２０９により送信電力が限界に達したとき目標ＳＩＲの更新を中止する更新部が形成される。
（ｇ）効果
以上第１実施例によれば、受信環境が良好な状態が長時間継続し、基地局の送信電力制御が下限に張り付いた場合でも、必要以上の目標ＳＩＲの減少を止める効果があり、その後の急激な環境劣化時にも、適切な目標ＳＩＲへの追従をすばやく行うことが可能となり、安定した通信環境を維持できる。また、同様に、受信環境が不良な状態が長時間継続し、基地局の送信電力制御が上限に張り付いた場合でも、必要以上の目標ＳＩＲの増大を止める効果があり、その後の急激な環境良好時にも、適切な目標ＳＩＲへの追従をすばやく行うことが可能となり、安定した通信環境を維持できる。
また、第１実施例によれば、従来のインナーループで測定しているＳＩＲ値を用いることで比較的簡単に送信電力制御不可能状態を検出でき、しかも、下り電力を過度に高く要求したり、または、低く要求することをなくせ、安定した通信環境を維持することができる。
(２) 第２実施例【００２５】
第１実施例では、測定ＳＩＲと目標ＳＩＲの大小を比較して電力分布(Ｕｐ，Ｄｏｗｎカウント)を算出したが、第2実施例では、ＴＰＣビットにより電力アップが指示されているか、電力ダウンが指示されているかにより電力分布(Ｕｐ，Ｄｏｗｎカウント)を算出する。これは、測定ＳＩＲ＞目標ＳＩＲであればＴＰＣビットにより電力ダウンが指示され、測定ＳＩＲ＜目標ＳＩＲであればＴＰＣビットにより電力アップが指示されるからである。
図９は第２実施例の送信電力制御を実現する基地局と移動局の構成図であり、図１の第１実施例と異なる点は電力分布判定部３０がＴＰＣビットにより電力分布(Ｕｐ，Ｄｏｗｎカウント)を算出して比較器２７に入力している点であり、他は第1実施例と同じである。
図１０は第２実施例の電力分布測定処理フローである。初期時に、カウント値Ｄｏｗｎ、Ｕｐをゼロにクリアし(ステップ３０１)、ついで、新目標ＳＩＲが算出されたかチェックし(ステップ３０２)、算出されていなければスロット周期（６６７μｓ＝１０ｍｓ／１５）でＴＰＣビットが“１”であるかチェックし(ステップ３０３)、ＴＰＣビット＝“０”であれば測定ＳＩＲ＞目標ＳＩＲであるからカウント値Ｄｏｗｎをインクリメントし(ステップ３０４)、ＴＰＣビット＝“１”であれば測定ＳＩＲ＜目標ＳＩＲであるからカウント値Ｕｐをインクリメントし(ステップ３０５)、ステップ３０２に戻り以降の処理を繰返す。以上により次の目標ＳＩＲが算出されるまでの期間における、ＴＰＣ＝“１”（測定ＳＩＲ＜目標ＳＩＲ）のカウント値ＵｐとＴＰＣ＝“０”（測定ＳＩＲ＞目標ＳＩＲ）のカウント値Ｄｏｗｎが求まる。以上の処理が繰返されて、ステップ３０２において、新目標ＳＩＲが算出ればカウント値Ｕｐ、Ｄｏｗｎを目標ＳＩＲ更新部２９に入力する(ステップ３０６)。
第２実施例によれば、従来のインナーループで生成している上りＴＰＣ ビットを用いることで、比較的簡単に送信電力制御不可能状態を検出でき、しかも、下り電力を過度に高く要求したり、または、低く要求することをなくせ、安定した通信環境を維持することができる。
(３) 第３実施例【００２６】
第1実施例では、目標ＳＩＲを下げる方向に制御している時、スロット周期で測定されたＳＩＲ（測定ＳＩＲ）が目標ＳＩＲより小さかった回数Ｕｐが大きかった回数Ｄｏｗｎの１／４以下になった時、送信電力制御が限界に達したと判定する。また、目標ＳＩＲを上げる方向に制御している時、測定ＳＩＲの方が大きかった回数Ｄｏｗｎが小さかった回数Ｕｐの１／４以下になった時、送信電力制御が限界に達したと判定する。
しかし、測定ＳＩＲは毎スロット測定されるため誤差が大きい。この誤差により、図１１に示すように、電力分布は正規分布Ａとならず平ったく広がりを持つ分布Ｂとなる。このため、目標ＳＩＲを下げる方向に制御している時のカウント値Ｕｐが斜線で示す分増大して送信電力制御が不可能になった状態の検出が遅れる。同様に目標ＳＩＲを上げる方向に制御している時、カウント値Ｄｏｗｎが増大して送信電力制御が不可能になった状態の検出が遅れる。【００２７】
そこで、第３実施例では、図１２に示すように目標ＳＩＲの両側に不感帯Ｃ，Ｄを設け、目標ＳＩＲと測定ＳＩＲの差が該不感帯内に属する場合にはＵｐ，Ｄｏｗｎカウントを停止するようにして誤差による誤判定を行わないようにする。
図１３は電力分布判定部３０(図１参照)の電力分布測定処理フローである。初期時に、カウント値Ｄｏｗｎ、Ｕｐをゼロにクリアし(ステップ４０１)、ついで、新目標ＳＩＲが算出されたかチェックし(ステップ４０２)、算出されていなければ、スロット周期（６６７μｓ＝１０ｍｓ／１５）で測定ＳＩＲと目標ＳＩＲの差ΔＳＩＲ(＝測定ＳＩＲ−目標ＳＩＲ)を計算し、次式
Ｃ＜ΔＳＩＲ＜Ｄ
が成立するかチェックする(ステップ４０３)。ただし、Ｃ＝−２ｄB、Ｄ＝＋１ｄＢである。なお、Ｃ＝−２ｄB、Ｄ＝＋１ｄＢは一例であり、この値に限定するものではない。
すなわち、目標ＳＩＲと測定ＳＩＲの差が不感帯Ｃ〜Ｄの範囲内に属するかチェックする(ステップ４０３)。不感帯Ｃ〜Ｄの範囲内に存在すればＵｐ，Ｄｏｗｎカウントを停止してステップ４０２にもどる。一方、不感帯Ｃ〜Ｄの範囲外であれば、測定ＳＩＲが目標ＳＩＲより小さいかチェックし(ステップ４０４)、測定ＳＩＲ＜目標ＳＩＲであればカウント値Ｕｐをインクリメントし(ステップ４０５)、測定ＳＩＲ＞目標ＳＩＲであればカウント値Ｄｏｗｎをインクリメントし(ステップ４０６)、ステッ４０２に戻り以降の処理を繰返す。以上により次の目標ＳＩＲが算出されるまでの期間における、測定ＳＩＲ＜目標ＳＩＲである分布（カウント値Ｕｐ）と測定ＳＩＲ＞目標ＳＩＲである分布（カウント値Ｄｏｗｎ）が求まる。そして、上記の処理が繰返されて、ステップ４０２において、新目標ＳＩＲが算出ればカウント値Ｕｐ、Ｄｏｗｎを目標ＳＩＲ更新部２９に入力する(ステップ４０７)。
第３実施例によれば、目標ＳＩＲの両側に不感帯を設け、目標ＳＩＲと測定ＳＩＲの差が該不感帯に存在すればカウントを停止し、目標ＳＩＲと測定ＳＩＲの差が該不感帯に存在しなければカウントを行うようにしたから、送信電力が下限値あるいは上限値に到達したことを受信側で正確に検出することができる。
以上の実施例では、基地局の下り送信電力を制御する場合について説明したが、移動局から基地局への上り送信電力制御においても本発明を同様に実施することができることは勿論である。
【図１】
2006035498.tif 000002
【図２】
2006035498.tif 000003
【図３】
2006035498.tif 000004
【図４】
2006035498.tif 000005
【図５】
2006035498.tif 000006
【図６】
2006035498.tif 000007
【図７】
2006035498.tif 000008
【図８】
2006035498.tif 000009
【図９】
2006035498.tif 000010
【図１０】
2006035498.tif 000011
【図１１】
2006035498.tif 000012
【図１２】
2006035498.tif 000013
【図１３】
2006035498.tif 000014
【図１４】
2006035498.tif 000015
【図１５】
2006035498.tif 000016
【図１６】
2006035498.tif 000017
【図１７】
2006035498.tif 000018
【図１８】
2006035498.tif 000019
【国際調査報告】
2006035498.tif 000020
2006035498.tif 000021